(57)【要約】【課題】  テスト印刷のサンプルを容易に特定できる画像形成装置を提供する。【解決手段】  画像形成装置においては、テストコピーの種類を確認し（Ｓ１０）、フォーム合成の試しコピーモードにおいては、まずフォームを指定する（Ｓ１１）。次にフォームの濃度を指定し（Ｓ１２）、フォームと原稿とを合成する（Ｓ１３）。ユーザは、合成された仕上がりイメージを見て納得したら、その合成された画像のファイル名を表示部２０から入力する。このとき入力されたファイル名、設定された濃度が合成された画像にさらに合成される（Ｓ１４）。その後、画像データが印字される（Ｓ４０）。【選択図】      図３
2005328257.tif 000002
【特許請求の範囲】
【請求項１】
テスト用のサンプル画像を作成するサンプル画像作成手段と、
前記サンプル画像作成手段で作成されたサンプル画像にその識別情報を合成する合成手段と、
前記合成手段で合成された識別情報の合成されたサンプル画像を出力する出力手段とを含む、画像形成装置。
【請求項２】
前記サンプル画像は、試しコピー、フォーム出力およびボックス出力の少なくとも一つを含む、請求項１に記載の画像形成装置。
【請求項３】
前記識別情報は前記サンプル画像のファイル名および画像調整パラメータの少なくとも一つを含む、請求項１または２に記載の画像形成装置。
【請求項４】
表示手段をさらに含み、
前記出力手段は前記表示手段を含む、請求項１から３のいずれかに記載の画像形成装置。
【請求項５】
コンピュータに対して、
テスト用のサンプル画像を作成するサンプル画像作成手段と、サンプル画像作成手段で作成されたサンプル画像にその識別情報を合成する合成手段と、合成手段で合成された識別情報の合成されたサンプル画像を出力する出力手段として機能させる、印刷用プログラム。
【発明の詳細な説明】
【技術分野】
【０００１】
この発明は、画像形成装置および印刷用プログラムに関し、特に、テスト出力のサンプルを識別できる、画像形成装置および印刷用プログラムに関する。
【背景技術】
【０００２】
無駄な印刷を行うことなく、試し印刷を行う画像形成装置が特開２００３−９４７５６号公報（特許文献１）に開示されている。特許文献１においては、出力するぺージの範囲を指定してテスト印刷が行われる。
【特許文献１】特開２００３−９４７５６号公報（段落番号０００６等）
【発明の開示】
【発明が解決しようとする課題】
【０００３】
従来の、無駄な印刷を行うことなく、試し印刷を行う画像形成装置は上記のように構成されていた。
【０００４】
無駄な部分を含んですべての画像情報を出力しなくても、画像確認や仕上がり確認ができるが、サンプル画像を多く出力すると、そのサンプルがどのような出力条件で出力されたか等がわからないという問題があった。また、保存されている文書を取り出したいときに、その文書の特定が困難であるという問題があった。このため、本印刷を行なう際に、試し印刷の結果を利用することが困難となっており、試し印刷を行なう意味が無くなってしまっていた。
【０００５】
この発明は、上記のような問題点に着目してなされたもので、テスト印刷のサンプルを容易に特定できる画像形成装置および印刷用プログラムを提供することを目的とする。
【課題を解決するための手段】
【０００６】
この発明に係る画像形成装置は、テスト用のサンプル画像を作成するサンプル画像作成手段と、サンプル画像作成手段で作成されたサンプル画像にその識別情報を合成する合成手段と、合成手段で合成された識別情報の合成されたサンプル画像を出力する出力手段とを含む。
【０００７】
好ましくは、サンプル画像は、試しコピー、フォーム出力およびボックス出力の少なくとも一つを含む。
【０００８】
さらに好ましくは、識別情報はサンプル画像のファイル名および画像調整パラメータの少なくとも一つを含む。
【０００９】
さらに好ましくは、表示手段をさらに含み、出力手段は表示手段を含む。
【００１０】
この発明の他の局面によれば、印刷用プログラムは、コンピュータに対して、テスト用のサンプル画像を作成するサンプル画像作成手段と、サンプル画像作成手段で作成されたサンプル画像にその識別情報を合成する合成手段と、合成手段で合成された識別情報の合成されたサンプル画像を出力する出力手段として機能させる。
【発明の効果】
【００１１】
この発明においては、テスト用のサンプル画像を出力するときに、識別情報の合成されたサンプル画像を出力する。サンプル画像の識別情報を記録するようにしたため、簡単にサンプル画像を特定することができる。
【００１２】
その結果、テスト印刷のサンプルを容易に特定できる画像形成装置および印刷用プログラムを提供できる。
【００１３】
識別情報として画像のファイル名や画像調整パラメータを記録すれば、より簡単にサンプル画像を特定できるとともに、保存されている所望の画像を得ることができる。
【発明を実施するための最良の形態】
【００１４】
以下、この発明の実施の形態を図面を参照して説明する。図１はこの発明の一実施の形態をデジタル複合機のような画像形成装置に適応した場合のデジタル複合機１０の構成を示すブロック図である。図１を参照して、デジタル複合機１０は画像作成手段、合成手段として機能するとともに、デジタル複合機１０全体を制御する制御部１１と、ＤＲＡＭ１２と、ＦＡＸ通信部１３と、ネットワーク４０と接続するためのネットワークＩＦ（インタフェース）部１４と、出力手段としても機能する印字部１５と、ＨＤ（ハードディスク）１６と、画像読み取り部１７と、操作部１８とを含む。
【００１５】
画像読み取り部１７は光電変換素子の一例のＣＣＤ（図示せず）を備えており、原稿の画像データを読み取ることができる。
【００１６】
操作部１８は図２に示すように入力部１９と表示部２０とを含み、入力部１９は、ＦＡＸの送信スタートやコピースタートを指示するコピーキー１９１と、実行中の処理を全面的に解除するための中止キー１９２と、割り込みの実行・解除を指示するための割り込みキー１９３と、ＦＡＸ送り先の番号やコピー枚数などを指示するテンキー１９４と、各種情報を設定するための設定キー１９５などを含む。
【００１７】
表示部２０は液晶パネルにより構成されており、デジタル複合機１０からユーザへの情報を表示できるようになっている。表示部２０は出力手段としても機能する。この液晶パネルはタッチパネルであり、「ＦＡＸ」，「プリンタ」および「コピー」の各機能を選択する入力部１９の一部としても機能する。
【００１８】
制御部１１は、画像読み取り部１７から与えられるデータ、ＦＡＸ通信部１３またはネットワークＩＦ部１４から与えられるデータをＤＲＡＭ１２に圧縮符号化して書き込み、ＤＲＡＭ１２に書き込んだデータを読み出し、伸張復号化して出力する。また、制御部１１は、ＦＡＸ通信部１３による通信のための制御と、ネットワークＩＦ部１４による通信のための制御と、印字部１５による印字のための制御と、画像読み取り部１７の画像読み取りのための制御と、操作部１８の入力部１９からのデータを入力するための制御と、操作部１８の表示部２０にデータを表示するための制御などを行う。
【００１９】
なお、図１において太線の矢印は画像データの流れを示しており、細線の矢印は制御信号または制御データの流れを示している。
【００２０】
この実施の形態においては、画像形成装置１０は、テストコピーとして、試しコピー、フォーム合成、フォーム出力、ボックス出力が可能であるものとする。
【００２１】
ここで、試しコピーとは、大量の部数をコピーする前に１部だけコピーし、出力確認をしてから設定した部数を出力することをいい、フォーム合成とは、登録された所定の画像を重ね合わせて出力することをいう。したがって、フォーム合成の試しモードとは、フォーム合成を行った画像を試しコピーするモードである。フォーム出力とは、所望のフォームを登録して、そのフォームで出力するモードである。ボックス出力とは、予め登録した原稿となる文書を蓄積し、それを出力するモードである。
【００２２】
この実施の形態においては、表示部２０にテストコピーのボタンが表示され、それを選択すると、それぞれのモードに移行する。
【００２３】
図３は、画像形成装置１０において印刷サンプルのようなテストコピーを行なう場合において、制御部１１が行う処理手順の内容を示すフローチャートである。図３を参照して、まず、テストコピーの種類を確認する（Ｓ１０）。
【００２４】
この場合の表示部２０への画面表示例を図４に示す。ユーザはこの画面で所望の処理を選択する。
【００２５】
フォーム合成の試しコピーモードにおいては、まずフォームを指定する（Ｓ１１）。ここでフォームは予めハードディスク１６に格納されていてもよいし、１枚目の原稿を合成画像として読み取り、メモリに残してもよい。予め格納されているフォームの例を図５に示す。図５を参照して、予め画像２５が格納されているものとする。これに対して画像２６を合成すると、合成画像２７が形成される。
【００２６】
次にフォームの濃度を指定し（Ｓ１２）、フォームと原稿とが合成される（Ｓ１３）。図６は表示部２０に表示されたフォーム合成の画面表示例を示す図である。図６を参照して、表示部２０に濃度を調整するボタン２８と、その場合の合成された仕上がりイメージ２９が表示される。また、表示部２０には、フォームを選択するためのボタン３０が設けられてもよい。
【００２７】
ユーザは、合成された仕上がりイメージ２９を見て納得したら、その合成された画像のファイル名を表示部２０から入力する。このとき入力されたファイル名、設定された濃度が合成された画像にさらに合成される（Ｓ１４）。その後、画像データが印字部１５で印字される（Ｓ４０）。
【００２８】
図７は印字された画像データを示す図である。図７を参照して、合成された画像とともに、ファイル名（ここでは「テストＡ」）および濃度が印字される。このように、フォーム合成の試しコピーにおいて、ファイル名と濃度が画像に印字されるため、フォーム合成の試しコピーを多く作成しても、後で個々の条件等を知ることができる。どの条件が最もよかったのかといった検討を行うことができる。
【００２９】
次に図３のＳ２１で示したフォーム出力について説明する。フォーム出力においてもまず出力するフォームを指定する（Ｓ２１）。ここでフォームは予めハードディスク１６に格納されていてもよいし、１枚目の原稿を合成画像として読み取り、メモリに残してもよいのは試しコピーの場合と同様である。フォームを指示するためにフォームを選択する画面が表示部２０に表示された状態を図８に示す。図８を参照して、格納されている複数のフォームが表示され、その中から所望のフォームを選択できる。
【００３０】
選択されたフォームが表示部２０に表示された状態を図９に示す。図９を参照して、指示されたフォームのユーザ名、文書名、サイズ等のデータを表示する部分３１とフォーム表示ボタン３２等が表示される。
【００３１】
ユーザは、フォーム表示ボタン３２を押してフォームを表示してフォームを表示させる。そこでは図６に示したようにフォームのイメージおよび濃度選択ボタンが表示される。ユーザはフォームの濃度を指定し（Ｓ２２）、フォームのイメージを見て納得してその旨を表示部２０を介して入力すると、そのフォームのファイル名と設定された濃度が合成そのフォームに合成される（Ｓ２３）。その後、画像データが印字される（Ｓ４０）。
【００３２】
次に図３のＳ３１で示したボックス出力について説明する。ボックス出力においてもまず予めハードディスク１６等に格納されている出力する文書を指定する（Ｓ３１）。文書の指定はフォームの指示について示した図８と同様に行われる。
【００３３】
この処理においても、図９に示した文書を特定する情報を表示する画面や図６に示したような文書の内容を示す画面が表示される。ユーザは、文書の内容を見て納得してその内容の出力を指示すると、その文書のファイル名が画像に合成される（Ｓ３２）。その後、画像データが印字される（Ｓ４０）。
【００３４】
ここでは、文書の濃度の設定については記載しなかったが、他の例と同様に、ユーザに濃度を選択させてもよい。
【００３５】
以上のようにフォームや文書を指定すると、指定されたフォームや文書とともにそのファイル名等の出力画像を特定する識別情報がプリントされるため、出力後において出力した画像を確実に特定できる。
【００３６】
なお、これらのフォームや文書のファイル名やその濃度等を画像とともにプリントするのは、テスト用のサンプル画像を作成するコピーのときのみであって、正規の出力物にはこれらのプリントは行わない。
【００３７】
また、上記実施の形態においては、図３の処理を画像形成装置の主制御部が行う動作として説明したが、これに限らず、この発明は印刷用プリンタプログラムやプリンタドライバとしてコンピュータを用いて実現可能である。この場合に、コンピュータのＲＯＭまたはＲＡＭに図３に示すフローチャートを実行するプログラムを格納すれば、上記画像形成装置と同様の動作が可能である。なお、このプログラムは記録媒体を介してコンピュータに格納されてもよい。
【００３８】
なお、上記実施の形態においては、出力した画像を識別する情報としてファイル名や画像の濃度をプリントする場合について説明したが、これに限らず、カラー画像における色合いやコントラスト等の任意の画像調整パラメータをプリントしてもよい。
【００３９】
また、上記実施の形態においては、画像形成装置において印字部で実際に印字される場合について説明したが、これに限らず、表示部等へ単に表示する場合に適用してもよいし、メモリやハードディスクに格納された画像データへ識別情報を付加するようにしてもよい。
【００４０】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００４１】
【図１】画像形成装置の一例としてのデジタル複合機の構成を示すブロック図である。
【図２】操作部を示す図である。
【図３】制御部の行う動作を示すフローチャートである。
【図４】表示部の表示例を示す図である。
【図５】予め格納されているフォームの例を示す図である。
【図６】フォーム合成の画面表示例を示す図である。
【図７】印字された画像データを示す図である。
【図８】フォーム選択の表示例を示す図である。
【図９】選択されたフォームが表示された状態を示す図である。
【符号の説明】
【００４２】
１０  デジタル複合機、１１  制御部、１２  ＤＲＡＭ、１３  ＦＡＸ送信部、１４  ネットワークインターフェイス部材、１５  印字部、１６  ハードディスク、１７  画像読取り部、１８  操作部、３０  公衆回線、４０  ネットワーク。
【図１】
2005328257.tif 000003
【図２】
2005328257.tif 000004
【図３】
2005328257.tif 000005
【図４】
2005328257.tif 000006
【図５】
2005328257.tif 000007
【図６】
2005328257.tif 000008
【図７】
2005328257.tif 000009
【図８】
2005328257.tif 000010
【図９】
2005328257.tif 000011